(57)【要約】【課題】電気通信サービスの提供における、システム、ケーブル配線、部品を管理し整理する方法とデバイスにおける改良。【解決手段】上部ケーブル経路構造物を含むシステムとアダプタ・パネル、あるいは、ケーブル経路構造物に頭上でそのマウントをケーブル終端デバイス。複数のアダプタを含むケーブル終端デバイスおよび頭上ケーブル経路構造物から出ているケーブルをアダプタまで導く曲面を有するケーブル経路出口。【選択図】図１
2015057941.tif 000002
【特許請求の範囲】
【請求項１】
ａ）頭上ケーブル経路構造物と、
ｂ）頭上ケーブル経路構造物に搭載するケーブル終端デバイスであって、
ｉ）複数のアダプタと、
ｉｉ）頭上ケーブル経路構造物から複数のアダプタまでケーブルを導く曲面を有するケーブル経路出口と、を含むケーブル終端デバイスと、
を備える、頭上ケーブル管理システム。
【請求項２】
前記ケーブル終端デバイスの複数のアダプタが、ＬＣとＳＣタイプ・アダプタのうちの１つを含む、請求項１に記載のシステム。
【請求項３】
前記ケーブル終端デバイスの複数のアダプタは、ＭＰＯアダプタを含む、請求項１に記載のシステム。
【請求項４】
ケーブル終端デバイスが、更に前記ケーブル経路出口の中で、前記頭上ケーブル経路構造物から出ているケーブルを保持するフィンガーを含む、請求項１に記載のシステム。
【請求項５】
前記フィンガーが、前記ケーブル経路出口の曲面の反対側の端にある、請求項４に記載のシステム。
【請求項６】
第１の方向から第２の垂直方向にケーブルの走行を推移させるカーブした引込線構造物をさらに含む請求項１に記載のシステム。
【請求項７】
前記カーブした引込線構造物が、カーブしたガイド壁によって規定される、請求項６に記載のシステム。
【請求項８】
前記カーブしたガイド壁が、前記ケーブル経路出口の曲面に搭載される、請求項７に記載のシステム。
【請求項９】
前記ケーブル終端デバイスが、ケーブル経路構造の搭載高さ設定に合うように垂直にスライドする調整可能な搭載ブラケットを含む、請求項１に記載のシステム。
【請求項１０】
前記ケーブル終端デバイスが、前記頭上ケーブル経路構造物に沿った場所に着脱可能にデバイスを搭載する搭載ブラケットを含む、請求項１に記載のシステム。
【請求項１１】
前記ケーブル終端デバイスが、前記頭上ケーブル経路構造物に沿ったいくつかの場所の１つに選択的に搭載される、請求項１０に記載のシステム。
【請求項１２】
ケーブル経路出口が、前記頭上ケーブル経路構造物のケーブル支持領域の中に位置する内側部分と、前記頭上ケーブル経路構造物のケーブル支持領域の外に位置する外側部分を有する、請求項１に記載のシステム。
【請求項１３】
頭上ケーブル経路構造物が、Ｕ字型ケーブルトラフを含む、請求項１に記載のシステム。
【請求項１４】
頭上ケーブル経路構造物が、ケーブル梯子構造物を含む、請求項１に記載のシステム。
【請求項１５】
頭上ケーブル経路構造物が、ケーブルが水平に走るケーブル支持領域を有し、前記デバイスのアダプタが、前記頭上ケーブル経路構造物の前記ケーブル支持領域の外に搭載されている、請求項１に記載のシステム。
【請求項１６】
ａ）複数のアダプタと、
ｂ）頭上ケーブル経路にアダプタを搭載する搭載ブラケットと、
ｃ）前記複数のアダプタの方へ頭上ケーブル経路からケーブルを導く曲面を有するケーブル経路出口と、
を備える、頭上ケーブル終端デバイス。
【請求項１７】
前記複数のアダプタが、前記デバイスが前記頭上ケーブル経路に搭載される場合に、前記頭上ケーブル経路から離れる方向にスライドするスライド・アダプタである、請求項１６に記載のデバイス。
【請求項１８】
前記複数のアダプタは、ＬＣとＳＣタイプ・アダプタのうちの１つを含む、請求項１６に記載のデバイス。
【請求項１９】
前記複数のアダプタが、ＭＰＯアダプタを含む、請求項１６に記載のデバイス。
【請求項２０】
前記ケーブル経路出口の中で、前記頭上ケーブル経路から出ているケーブルを保持するフィンガーをさらに含む、請求項１６に記載のデバイス。
【請求項２１】
前記フィンガーは、前記ケーブル経路出口の曲面の反対側の端にある、請求項２０に記載のデバイス。
【請求項２２】
第１の方向から第２の垂直方向にケーブルの走行を推移させるカーブした引込線構造物をさらに含む、請求項１６に記載のデバイス。
【請求項２３】
前記カーブした引込線構造物は、カーブしたガイド壁によって規定される、請求項２２に記載のデバイス。
【請求項２４】
前記カーブしたガイド壁は、前記ケーブル経路出口の曲面に搭載される、請求項２３に記載のデバイス。
【請求項２５】
搭載ブラケットは、１つ以上のタイプの頭上ケーブル経路を収納する調整可能な搭載ブラケットである、請求項１６に記載のデバイス。
【請求項２６】
搭載ブラケットが、異なる高さの搭載構造を有する異なる頭上ケーブル経路を収納するスライド・プレートを含む、請求項２５に記載のデバイス。
【請求項２７】
ケーブルを終端する方法であって、
ａ）ケーブル支持領域を規定する頭上ケーブル経路構造物を提供するステップと、
ｂ）前記ケーブル支持領域の外で、頭上ケーブル経路構造物にアダプタを搭載するステップと、
ｃ）前記頭上ケーブル経路構造物のケーブル支持領域から前記ケーブル経路構造物に搭載されるアダプタに、ケーブルを配線するステップと、
ｄ）前記アダプタに前記ケーブルを終端するステップと、
を含む方法。
【請求項２８】
前記ケーブルを終端するステップが、ＬＣまたはＳＣタイプ・アダプタに前記ケーブルを終端することを含む、請求項２７に記載の方法。
【請求項２９】
前記ケーブルを終端するステップが、ＭＰＯアダプタに前記ケーブルを終端することを含む、請求項２７に記載の方法。
【請求項３０】
前記ケーブルを配線するステップが、第１の方向から第２の垂直な方向に、ケーブルの走行を推移させるカーブした引込線構造物の周りに前記ケーブルを配線することを含む、請求項２７に記載の方法。
【請求項３１】
前記頭上ケーブル経路構造物にアダプタを搭載するステップが、前記ケーブル経路構造の搭載高さ設定に合うようにアダプタが固定される搭載ブラケットを調節することを含む、請求項２７に記載の方法。
【請求項３２】
前記搭載ブラケットを調節するステップが、前記ケーブル経路構造物の搭載高さ設定に合う位置に搭載プレートをスライドさせることを含む、請求項３１に記載の方法。
【請求項３３】
前記アダプタを搭載するステップが、頭上ケーブル経路構造物の長手方向に沿った選択された場所に、前記頭上ケーブル経路構造物に前記アダプタを着脱可能に搭載することを含む、請求項２７に記載の方法。
【請求項３４】
前記アダプタが固定されるケーブル経路出口と搭載ブラケットを有するケーブル終端デバイスを提供するステップをさらに含む、請求項２７に記載の方法。
【請求項３５】
ケーブル経路出口の内側部分を前記頭上ケーブル経路構造物のケーブル支持領域の中に位置させ、前記ケーブル経路出口の外側部分を前記頭上ケーブル経路構造物のケーブル支持領域の外側に位置させるステップをさらに含む請求項３４に記載の方法。
【請求項３６】
前記頭上ケーブル経路構造物を提供するステップが、Ｕ字型ケーブルトラフを提供することを含み、
前記アダプタを搭載するステップが、Ｕ字型ケーブルトラフに前記アダプタを搭載することを含む、請求項２７に記載の方法。
【請求項３７】
前記頭上ケーブル経路構造物を提供するステップが、ケーブル梯子構造物を提供することを含み、
前記アダプタを搭載するステップが、該ケーブル梯子構造物に前記アダプタを搭載することを含む、請求項２７に記載の方法。
【請求項３８】
ａ）装置が搭載される通信ラックと、
ｂ）通信ラックの上に位置する頭上ケーブル経路構造物と、
ｃ）頭上ケーブル経路構造物に沿って走るケーブルと、
ｄ）頭上ケーブル経路構造物に搭載されるケーブル終端デバイスであって、前記頭上ケーブル経路構造物のケーブル支持領域の外側に搭載された複数のアダプタを含むケーブル終端デバイスと、を備える、設備装置であって、
ｅ）頭上ケーブル経路構造物から出るケーブルは、頭上ケーブル経路構造物に搭載されるデバイスのアダプタに終端される、設備装置。
【請求項３９】
前記ケーブル終端デバイスが、前記頭上ケーブル経路構造物に沿ったいくつかの場所の１つに選択的に搭載される、請求項３８に記載の装置。
【請求項４０】
前記ケーブル終端デバイスが、前記頭上ケーブル経路構造物から前記アダプタまでケーブルを導く曲面を有するケーブル経路出口を含む、請求項３８に記載の装置。
【請求項４１】
ケーブル経路出口は、前記頭上ケーブル経路構造物の前記ケーブル支持領域の中に位置する内側部分と、前記頭上ケーブル経路構造物のケーブル支持領域の外に位置する外側部分とを持っている、請求項４０に記載の装置。
【請求項４２】
前記ケーブル終端デバイスは、前記ケーブル経路出口の中で終了ケーブルを保持し、前記ケーブル経路出口の曲面の反対側の端に位置するフィンガーを含む、請求項４０に記載の装置。
【請求項４３】
頭上ケーブル経路構造物が、Ｕ字型ケーブルトラフを含む、請求項３８に記載の装置。
【請求項４４】
頭上ケーブル経路構造物が、ケーブル梯子構造物を含む、請求項３８に記載の装置。
【発明の詳細な説明】
【技術分野】
【０００１】
本願は、米国以外のすべての国において指定された出願人である米国の会社ＡＤＣ  Ｔｅｌｅｃｏｍｍｕｎｉｃａｔｉｏｎｓ  Ｉｎｃ．および、米国のみで指定された出願人である米国市民Ｈｕｔｃｈ  ＣＯＢＵＲＮ、米国市民Ｍａｒｋ  ＳＭＲＨＡ、米国市民Ｃｈａｄ  ＳＪＯＤＩＮ、米国市民Ｃｒａｉｇ  ＦＬＥＭＩＮＧの名において、ＰＣＴ国際特許出願として、２００８年１月１５日に出願されたものである。また、２００７年１月１９日に出願された米国特許出願第１１／６５５７５７号について優先権を主張するものである。
【０００２】
本願は、通信産業で使用するための方法とデバイスに関するものである。より詳しくは、本願は、通信ケーブルとケーブル・終端部品を管理・整理する方法とデバイスに関するものである。
【背景技術】
【０００３】
通信産業においては、ケーブルと関連ケーブル終端部品の効果的管理と整理が、電気通信サービスを提供するための大規模なケーブル配線の観点から必要である。例えば、データセンターまたは中央局などの通信設備は、頭上に配線されたケーブルに相互接続された何列もの装置ラックや装置キャビネットを有することが多い。そのような設備のケーブル配線は、たとえば、頭上トラフや梯子からケーブルを下に下げることや、ラックの上やキャビネットの中に搭載された終端パネルにケーブルを終端することを含む。
【０００４】
電気通信サービスの増加する要求を満たすことができるスペースは制限されており、電気通信サービスの提供に関連する、システム、ケーブル配線、部品を管理し整理する方法とデバイスにおける改良が必要とされている。
【先行技術文献】
【特許文献】
【０００５】
【特許文献１】米国特許第５４９７４４４号
【特許文献２】米国特許第６５９１０５１号
【発明の概要】
【０００６】
本開示は、頭上ケーブル経路構造物に搭載されるケーブル終端デバイスを備える頭上ケーブル管理システムに関するものである。頭上ケーブル経路構造物は、たとえば、Ｕ字型トラフや梯子型構造物を含むことができる。ケーブル終端デバイスの上部装置は、電気通信設備のための装置ラックの上あるいは装置キャビネットの中により多くのスペースを割り当てる。
【０００７】
望ましい製品機能または方法のいろいろな実施例が、以下の記載で、部分的に述べられており、部分的にはその記載から明らかであるが、開示された種々の態様を実施することにより学習することもできる。開示の態様は、個々の特徴に関係するとともに、特徴の組み合わせにも関係する。上述の一般的記載、以下の詳細な記述の両方とも、説明のためだけのものであり、特許請求の範囲の発明を制限するものではないことが理解されるべきである。
【図面の簡単な説明】
【０００８】
【図１】開示された原理に従った、ケーブルトラフに搭載されるケーブル終端デバイスの１つの実施形態の前面斜視図である。
【図２】開示された原理に従った、ケーブルトラフに搭載されるケーブル終端デバイスの複数の実施形態を含む通信システムの正面図である。
【図３】図１のケーブル終端デバイスの後面の斜視図である。
【図４】図１のケーブル終端デバイスの前部の斜視図である。分離して表示した。
【図５】図４のケーブル終端デバイスの後部の斜視図である。
【図６】開示された原理に従った、ケーブル梯子に搭載されるケーブル終端デバイスの別の実施形態の前部の斜視図である。
【図７】図６のケーブル終端デバイスの前部の斜視図である、分離して表示した。
【図８】図７のケーブル終端デバイスの後部の斜視図である。
【図９】図６のケーブル終端デバイスの分解した、後部の斜視図である。
【図１０】開示された原理に従った、ケーブル終端デバイスのさらにもう１つの実施形態の前部の斜視図である。
【発明を実施するための形態】
【０００９】
次に、添付の図面の中に図示される本開示の例示的態様を参照し、詳細に述べる。可能な限り同じ参照番号を、全図面を通して、同一あるいは類似の部品を参照するのに用いる。
【００１０】
図１は、開示された原理に従った頭上ケーブル管理システム１０の１つの実施形態を図示する。頭上ケーブル管理システム１０は、限られた通信設備の空間における容量を増加するために、ケーブルおよび関連した部品を管理・整理するように設計されている。本開示の頭上ケーブル管理システム１０は、一般に、ケーブル終端パネルまたは頭上ケーブル経路構造物１４に搭載されるケーブル終端デバイス１２を含む。
【００１１】
図２を参照すると、例えば、データセンターまたは中央局などの通信設備において、頭上ケーブル経路構造物１４は、ラック（例えば５４）、キャビネット（例えば５６）や他の装置筐体ないしフレームワークの上にかけられる。頭上ケーブル経路構造物１４は、たとえば、ラック５４上に搭載される機器６４を相互接続するケーブル５８を支持する。簡略化のために、以下の記載では、機器６４が搭載される構築物を「ラック」と呼ぶ。しかしながら、本開示は、他の機器構造物（例えば、キャビネットや他の筐体またはフレームワーク）にも同様に適用されることが理解されるべきである。
【００１２】
ラックは、通常、技術者の身長以上の高さであり、「頭上」ケーブル経路構造物は、典型的には「頭上」を走っている。「頭上」は、技術者の身長を制限することを意図するものではないことを理解されたい。むしろ、ケーブル経路構造物が、床６６から離れた位置、典型的には、頭上に位置することを意味する。しかし、より一般には、機器が搭載される構造物（例えばラックまたはキャビネット）より上に位置することを意味する。図１と図２の図示した実施形態において、頭上ケーブル経路構造物は、Ｕ字型チャネルまたはトラフ１６である。例えば、図６に示される別の実施形態では、頭上ケーブル経路構造物は、梯子型構造物１１６である。ラックやキャビネットを行き来するケーブルを頭上で支える他のタイプの構造物も、開示された原理に従って使用することができる。
【００１３】
ケーブルの「走行」のために装置ラックの上のスペースを利用する際に、ケーブル経路構造物は、ケーブルが、概ね水平に走ることを可能とすることを理解することができる。即ち、ケーブル経路構造物は、ケーブルは、ケーブル経路構造物により支持される場合には、垂直よりも、水平に走行するように構築される。
【００１４】
従来の装置においては、頭上ケーブル経路構造物によって支持されるケーブルは、頭上構築物から下がって、機器ラック上に搭載される終端パネルに終端される。終端パネルは、頭上ケーブルが終端されるパネルであり、一般に、多数のアダプタまたはコネクタを含む。ジャンパーケーブルやパッチコードが、終端パネルとラック上に搭載された機器との間を相互接続するために使用される。従来の設備装置におけるラックは、機器とケーブルが終端する終端パネルの両方を保持し、終端パネルは、ラックの限られた数の単位スペースのうちの少なくとも１つを占める。
【００１５】
さらに、図２を参照する。本開示の頭上ケーブル管理システムは、ラックと設備の空間利用状況を改善する。即ち、頭上ケーブル管理システムは、ラック以外の場所でケーブルの終端を行うことができるようにすることによって、設備のサービス容量を増加する。ケーブル終端は、ラック内ではなく、ラックより上の位置の空きスペースで行われる。終端パネルの要求に束縛されることなく、貴重なラック・スペースを、それによってより多くの機器に割り当てることができる。
【００１６】
具体的には、図１と図２に図示されるように、本システムのケーブル終端デバイス（例えば１２、１１２、２１２）は、頭上のケーブル５８が終端する複数のケーブル終端（例えば１８、１１８、２１８）を含む。終端装置は、ラック（例えば５４）に搭載されるのではなく、頭上経路構造物１４に搭載される。上部ケーブル経路構造物１４によって支持されるケーブルは、デバイスのケーブル終端（１８、２１８）に配線され、終端される。ジャンパーケーブルまたはパッチコード５９は、終端パネルやデバイス（１２、１１２、２１２）と、機器ラック５４上に搭載された機器６４との間で相互接続を行う。
【００１７】
次に、図４と図５を参照する。１つの実施形態において、ケーブル終端デバイス１２は、一般的に、複数のケーブル終端１８（例えばアダプタまたはコネクタ）、搭載ブラケット２０とケーブル経路出口２２とを含む。図示した実施形態において、複数のケーブル終端１８は、光ファイバーケーブルの終端に使用されているスライドアダプタないしスライドアダプタパック２４により規定される。スライドアダプタパック２４は、例えば、ＬＣ、ＳＣ、ＳＴまたはＦＣタイプのアダプタなど、光ファイバーが終端するアダプタのアレーを含む。
【００１８】
用途によっては、銅ケーブルを、光ファイバーケーブルとともに同軸で、あるいは、光ファイバーケーブルを用いず、単独で使用することができ、したがって、ケーブル終端は、さまざまなワイヤ終端やワイヤコネクタを含むことができる。本開示の頭上システムの原理は、光ファイバー使用分野、銅ケーブル使用分野、ハイブリッド配線使用分野、または、光ファイバーと銅ケーブルの両方のタイプの使用分野で用いることができることを理解されたい。
【００１９】
終端装置１２のスライドアダプタ２４は、上部ケーブル経路構造物１４にアダプタ２４を搭載する搭載ブラケット２０に搭載される。スライドアダプタ２４は、上部ケーブル経路構造物１４から離れる方向にスライドし（図４参照）、アダプタが終端できるようにする。本システムで使用することができるスライドアダプタに関する詳細は、米国特許第５４９７４４４号および米国特許第６５９１０５１号に記述されている。これら特許は、引用により本願明細書に組み込まれる。分離壁２５は、スライドアダプタ２４に配線されるケーブルの分離を行うために備えられる。
【００２０】
さらに、図４と図５を参照する。ケーブル終端デバイス１２の搭載ブラケット２０は、隔壁ないし搭載プレート２６およびブラケットアーム２８を有する。ケーブル終端１８は、プレート２６に固定されるか、搭載される。プレート２６は、垂直の方向に置かれ、ケーブル終端１８の特定の構成（すなわちスライドアダプタ２４）に合致している。ブラケットアーム２８は、搭載プレート２６から後方に伸びている。
【００２１】
ブラケットアーム２８は、デバイス１２を着脱可能に固定するか、頭上ケーブル経路構造物１４に沿った選択された場所に搭載する搭載装置６８を部分的に規定する。また、搭載装置６８は、ケーブル終端デバイス１２を、頭上ケーブル経路構造物１４に沿って多くの場所の１つに選択的に搭載することができ、必要に応じて、後で動かすことができるように設計されている。
【００２２】
さらに、図４と図５を参照する。搭載ブラケット２０のブラケットアーム２８は、それぞれ、スロット３２を規定するフランジ３０を含む。スロット３２は、ねじ部品３４を受け入れるようにサイズ設定がされる。ねじ部品３４は、翼状保持片３６にねじ込まれる。図３に図示されるように、翼状保持片３６は、Ｕ字型ケーブルトラフ１６の搭載構造物４０に形成されたスロット３８に嵌まるようにサイズ設定されている。（翼状ナット３６とＵ字型ケーブルトラフ１６のスロット３８を含む）搭載装置６８は、技術者がケーブル終端デバイス１２を、必要に応じて、トラフ１６に沿ってラック５４に相対して（たとえば、図２参照）望むどの位置にでも搭載するのを可能とする。図５を参照する。各ブラケットアーム２８は、また、安定化伸張部４４を含む。図１に図示するように、安定化伸張部４４は、トラフ１６の側壁にのっており、トラフ１６に搭載されるときに、ケーブル終端デバイス１２を安定させる。
【００２３】
図１と図３に戻って、終端装置１２のケーブル経路出口２２は、一般に、内側部分５０と外側部分５２を有する。ケーブル経路出口２２の内側部分５０は、デバイス１２が構築物１４に搭載されると、頭上ケーブル経路構造物１４のケーブル支持領域６０中に位置する。ケーブル経路出口２２の外側部分５２は、デバイスが構築物１４に搭載されると、ケーブル支持領域６０の外側に位置する。ケーブル支持領域６０は、頭上ケーブル経路構造物１４によって支持される場合に、ケーブル（例えば５８）が存在し走っている領域である。たとえば、Ｕ字型トラフ１６（図１）のケーブル支持領域６０は、一般に、Ｕ字型トラフによって規定されるスペース容量である。同様に、梯子型構造物１１６のケーブル支持領域１６０（図６）は、一般に、梯子構造物のフットプリント上に規定される領域である。本開示のケーブル終端デバイス１２のケーブル終端１８は、頭上ケーブル経路構造物のケーブル支持領域６０、１６０の外側に位置する。
【００２４】
さらに、図１と図３を参照して、ケーブル経路出口２２の内側部分と外側部分５０、５２は、曲面４２によって相互接続している。曲面４２は、頭上ケーブル経路構造物１４から出たケーブルを複数のケーブル終端１８に向かって導いている。好ましくは、曲面４２は、ケーブルが最小限の曲げ半径を越えてしまうのを防ぐ半径を持つ。ケーブル終端デバイス１２は、頭上ケーブル経路構造物１４から出ているケーブルを保持するために、フィンガー４６を更に含むことができる。フィンガー４６は、ケーブル経路出口２２の中で、ケーブルを保持するのを助け、曲面４２上でケーブルが最小限の曲げ半径を越えてしまうのを防ぐのを助ける。図示した実施形態において、フィンガー４６は、ケーブル経路出口２２の曲面４２の反対側の端にある。
【００２５】
図３と図５を参照すると、ケーブル終端デバイス１２は、第１の方向から第２の垂直方向にケーブルの走行を推移させるカーブした引込線構造物６２も含む。即ち、構造物１４中を水平に走っているケーブルは、カーブした引込線構造物６２によって垂直に移行し、垂直に走って、デバイス１２のケーブル終端１８の方へ導かれる。図３の図示した実施形態では、ケーブルは、水平に走っている状態からＵ字型トラフ１６の側壁の上を越えて走るように移行する。
【００２６】
さらに、図５を参照して、カーブした引込線構造物６２は、カーブしたガイド壁６４を含むことができる。ガイド壁６４は、ケーブル経路出口２２の曲面４２で一体的に形成することも可能であるが、カーブしたガイド壁６４は、ケーブル経路出口２２の内側部分５０に搭載される。
【００２７】
次に、図６〜９を参照すると、頭上ケーブル管理システム１００の別の実施形態が図示される。前の実施形態と同様に、この頭上ケーブル管理システム１００は、一般に、ケーブル終端パネルまたは頭上ケーブル経路構造物１１４（例えば梯子型構造物１１６）に搭載されるデバイス１１２を含む。
【００２８】
図６を参照して、頭上ケーブル管理システム１００のケーブル終端デバイス１１２は、ケーブル（例えば５８）が終端される複数のケーブル終端１１８、搭載ブラケット１２０、ケーブル経路出口１２２を含む。
【００２９】
図示した実施形態において、複数のケーブル終端１１８は、複数の光ファイバー（例えば１２の光ファイバー）を有するケーブルが終端するＭＰＯタイプ・アダプタ１２４である。前に述べたように、他のタイプのアダプタまたはコネクタは、それだけで、または、ＭＰＯアダプタ１２４と組み合わせて使用することができる。図５に図示されるアダプタ１２４は、搭載ブラケット１２０に搭載され、搭載ブラケット１２０は、頭上ケーブル経路構造物１１４にアダプタ１２４を搭載する。
【００３０】
図７と図８を参照する。ケーブル終端デバイス１１２の搭載ブラケット１２０は、隔壁または搭載プレート１２６とブラケットアーム１２８を有する。ケーブル終端１１８は、プレート１２６に固定されるか搭載される（例えば、プレート１２６に形成されたスルーホール１２５（図９）を通すファスナーにより）。この実施形態のプレート１２６は、特定のタイプと構成のケーブル終端１１８（すなわちＭＰＯアダプタ１２４）に対応して水平方向に向いている。しかし、そのようなアダプタは、水平のプレートの代わりに、水平でない搭載プレートにも搭載できるものである。
【００３１】
搭載ブラケット１２０のブラケットアーム１２８は、搭載プレート１２６から後方に伸びている。ブラケットアーム１２８は、搭載装置１６８を部分的に規定する梯子ブラケット片１７０に固定される。この実施形態のブラケットアーム１２８は、製造の目的のため、前の実施形態と同じものである。梯子ブラケット片に固定される構成の他のブラケットアームも開示された原理に従って使用することができることを理解することができる。この第２の実施形態の搭載装置１６８は、頭上ケーブル経路構造物１１４に沿った選択された場所にデバイス１１２を着脱可能に固定あるいは搭載する。また、デバイス１１２の搭載装置は、デバイスを、頭上ケーブル経路構造物１１４の長手方向に沿った多数の場所の１つに選択的に搭載でき、必要に応じて、後で動かすことができるように設計されている。
【００３２】
次に図９を参照する。搭載ブラケット１２０は、第１の梯子ブラケット片１７０と対応する第２のブラケット・プレート１７２を含む。第１のブラケット片１７０は、たとえば、梯子構造物１１６の上端１８０（図９）と係合するフック状フランジ１７８を有している。
【００３３】
第２のブラケット・プレート１７２は、梯子構造物１１６の下端１８４と係合する対向するフック状フランジ１８２を有する。搭載ブラケット１２０の第２のブラケット・プレート１７２は、頭上ケーブル経路構造物１１４を係合して、望ましい場所にデバイス１１２を固定するために、第１のブラケット片１７０と相対的にスライドするように造られている。具体的には、第１のブラケット片１７０は、第２のブラケット・プレート１７２の端１７６を収容するブラケット片の側端に位置するガイド１７４を含む。第２のブラケット・プレート１７２の端１７６は、フック状フランジ１７８、１８２が頭上ケーブル経路構造物１１４をつかまえて、係合するように、第１のブラケット片１７０のガイド１７４の中で垂直にスライドする。第１のブラケット片１７０と第２のブラケット・プレート１７２によって規定されるスライドする搭載装置１６８は、複数種類の頭上ケーブル経路構造物の搭載高さ設定（例えば、図９参照）に対して収納あるいは整合するために調整可能である。
【００３４】
図８と図９を参照する。第１のブラケット片１７０と第２のスライドするブラケット・プレート１７２の各々は、ホール１３２、１９０を規定するタブ１８６、１８８を含む（図８）。ホール１３２、１９０は、ブラケット片１７０とスライド・プレート１７２との互いの位置を頭上ケーブル経路構造物１１４に相対的に固定するファスナー１３４（図９）を受け入れるようにサイズ設定される。図９に図示する実施形態において、ファスナー１３４は、ちょうナットによって適所に固定されるねじボルトを含む。他のタイプの固定具も、ブラケット片１７０とスライド・プレート１７２との相対位置を固定するのに用いることができる。
【００３５】
図７に戻って、デバイス１１２のケーブル経路出口１２２は、前の実施形態のものと同様な曲面１４２を有する。この曲面は、頭上ケーブル経路構造物１１４（図６）から複数のケーブル終端１１８の方へ、ケーブルを導く。好ましくは、この曲面は、ケーブルが最小限の曲げ半径を上回るのを防ぐ半径を有する。フィンガー１４６を、頭上ケーブル経路構造物１１４から出ているケーブルを保持するために提供できる。
【００３６】
図６に戻って、また、前の実施形態に同様に、ケーブル経路出口１２２は、デバイス１１２が構築物１１４に搭載され、外側部分１５２がケーブル支持領域１６０の外側に位置するとき、一般に、頭上構築物１１４のケーブル支持領域１６０の中に位置する内側部分１５０を有する。デバイス１１２のアダプタ１２４は、頭上ケーブル経路構造物１１４のケーブル支持領域１６０の外側に位置する。
【００３７】
次に図１０を参照する。ケーブル終端パネルまたはデバイス２１２のさらにもう一つの実施形態が、図示される。図２に示すように、このケーブル終端デバイス２１２は、Ｕ字型ケーブルトラフ１６に搭載される搭載構造物２２０を含む。
【００３８】
図１０の終端装置のケーブル終端２１８は、ＭＰＯタイプ・アダプタ２２４（塵除キャップと一緒に示す）とＬＣタイプ・アダプタ２２５（塵除プラグと一緒に示す）を含む。このデバイス２１２のアダプタ２２４、２２５は、搭載ブラケット２２０に固定されるモジュール２４８の部品である。ＭＰＯタイプ・アダプタ２２４は、モジュール２４８の後面壁２９２に搭載され、ＬＣタイプ・アダプタ２２５は、モジュール２４８の波形の前面壁２９４に搭載される。ＭＰＯタイプ・アダプタ２２４は、モジュール２４８の内部に含まれる内部回路やケーブル（図示せず）を介してＬＣタイプ・アダプタ２２５に相互接続される。実施例モジュール２４８に関する詳細が、米国特許出願番号第１１／６５５７６４号（代理人整理番号２３１６．２４８４ＵＳ０１）に記述されている。この出願は、引用により本願明細書に組み込まれる。容易に理解できるように、アダプタのタイプ（例えば、２４、１２４、２２４、２２５）とデバイスの搭載ブラケット構成（例えば２０、１２０）とは、混ぜることができて、アプリケーションの特定の必要に合わせて、混合して、あるいは整合させて使用することができる。
【００３９】
代替的に、図１０のデバイス２１２をまっすぐな貫通構造を持つようにすることができ、モジュールの波形前面壁２９４だけが、搭載ブラケット２２０に搭載される。中間のＭＰＯタイプ・アダプタ２２４とは対照的に、頭上ケーブル５８は、ＬＣタイプ・アダプタ２２５または他のアダプタ・タイプに終端している。
【００４０】
本開示の頭上経路デバイス（例えば１２、１１２、２１２）は、データセンター、中央局または他の通信設備で必要なラック・スペースの量を最小にする。代替的に、デバイスは、空間制約がある設備で、システム拡張やアップグレードを可能にさせ、ラックまたはキャビネットを追加しなくても、装置を加えることができる。本デバイスはまた、既存のシステムに、簡単に組み入れることができるように設計されている。すなわち、終端梯子構造物に搭載する、例えば、既存のラックまたは既存の頭上構築物を取り替えたり、アップグレードするようなコストを掛けることなく、組み入れることができる。
【００４１】
加えて、本デバイスは、既存システムの冷却の経路と干渉しない。たとえば、従来の方法では、キャビネットの容量の拡張は、しばしば、キャビネット内で終端パネルの追加インストールを必要とする。パネルの追加は、キャビネットの中の電気コンポーネントを冷やすために必要な気流を妨げる可能性がある。本システムの追加パネルまたはデバイスは、頭上に搭載されるので、パネルまたはデバイスは、キャビネットを通る気流通路を邪魔しない。
【００４２】
本明細書の上述の記載は本願発明の詳細を与えており、本発明の多くの実施形態が本発明の趣旨および範囲から離れることなく作ることができる。本発明の確定的な態様は、特許請求の範囲に記載されたものである。
【図１】
2015057941.tif 000003
【図２】
2015057941.tif 000004
【図３】
2015057941.tif 000005
【図４】
2015057941.tif 000006
【図５】
2015057941.tif 000007
【図６】
2015057941.tif 000008
【図７】
2015057941.tif 000009
【図８】
2015057941.tif 000010
【図９】
2015057941.tif 000011
【図１０】
2015057941.tif 000012